(57)【要約】【課題】  ヘッド全体の強度を向上させることができると共に、重心の調整を容易にする。【解決手段】  そのネック部によりシャフトと連結している中空ケース部を有するヘッドにおいて、該ケース部は、ボールを撃つフェース部としての第１のケース壁部と、該第１のケース壁部と一体に該第１のケース壁部と共に空間を画成してなる第２のケース壁部とで形成され、該第２のケース壁部は、多重積層されたカーボン繊維強化レジン層と、前記カーボン繊維強化レジン層に設けられる補強手段とでなる。【選択図】図２
2005278820.tif 000002
【特許請求の範囲】
【請求項１】
そのネック部によりシャフトと連結している中空ケース部を有するヘッドにおいて、
該ケース部は、
ボールを撃つフェース部としての第１のケース壁部と、
該第１のケース壁部と一体に該第１のケース壁部と共に空間を画成してなる第２のケース壁部とで形成され、
該第２のケース壁部は、多重積層されたカーボン繊維強化レジン層と、前記カーボン繊維強化レジン層に設けられる補強手段とでなることを特徴とするゴルフクラブヘッド。
【請求項２】
前記補強手段は、第１の面を前記第２のケース壁部の外表面に露出させていることを特徴とする請求項１に記載のゴルフクラブヘッド。
【請求項３】
前記補強手段は、第２の面を前記第２のケース壁部の内面側に向けていることを特徴とする請求項１または２に記載のゴルフクラブヘッド。
【請求項４】
前記強化手段は、前記多重積層されたカーボン繊維強化レジン層の間に挟まれていることを特徴とする請求項１に記載のゴルフクラブヘッド。
【発明の詳細な説明】
【技術分野】
【０００１】
本発明は、ゴルフクラブヘッドに関するものであり、特に複合材によりつくられたゴルフクラブヘッドに関するものである。
【背景技術】
【０００２】
従来のゴルフクラブヘッド１は、図１に示されている例のウッドのように、シャフトと繋るネック４が設けられている中空ケース１０からなり、また、該ケース１０は、ほぼ平面をしてボールを撃つフェース部としての第１のケース壁部１１と、該第１のケース壁部１１のその他の部分をなす第２のケース壁部１２とに形成されている。
【発明の開示】
【発明が解決しようとする課題】
【０００３】
前記ヘッド１のケース１０は、多くは一つの材料により一体成形にされてなり、非金属性のカーボン繊維強化レジン或いは木質材料によると、全体の重量は軽くすることができるが、その硬度も低いため、反発力がない欠点がある。
【０００４】
また、前記ケース１０は、前記カーボン繊維の代りに金属で造ると、強度を向上させ、長持ちするが、成形しにくく、ヘッドの重心を調整することも難しいので、飛行中の安定性を損う恐れがある。
【０００５】
本発明は、前記問題点を解消するものであり、ゴルフクラブヘッドの全体強度を効果的に向上させると共に、外観の形状に変化を付けることができ、重心の調整が容易にできるゴルフクラブヘッドを提供することを目的とする。
【課題を解決するための手段】
【０００６】
前記目的を達成するために、本発明は、そのネック部がシャフトと連結している中空ケース部を有するヘッドにおいて、該ケース部は、ボールを撃つフェース部としての第１のケース壁部と、該第１のケース壁部と一体に該第１のケース壁部と共に空間を画成してなる第２のケース壁部とに形成され、該第２のケース壁部は、多重積層されたカーボン繊維強化レジン層と、前記カーボン繊維強化レジン層に設けられる補強手段とでなることを特徴とするゴルフクラブヘッドを提供しようとする。
【発明の効果】
【０００７】
本発明は、上記構成によれば、前記カーボン繊維強化レジン層に設けられる前記補強手段によって、前記第２のケース壁部にさらに意匠を凝らして、ヘッドの外観に変化をつけることができ、かつ、ヘッドによって補強手段を適当に一つ以上配設することにより、ヘッドの強度を向上させると共に、重心の調整を容易にすることができる。
【発明を実施するための最良の形態】
【０００８】
この発明の前記その他の目的、特徴及び利点は添付図面に例示する本発明の好ましい実施例に関する以下の詳しい説明から明らかであろう。以下の説明において、同様な構成要素には、同様な符号を付し、説明を省略する。
【０００９】
図２は本発明にかかる好ましい実施例１（ウッドの例）のゴルフクラブヘッドの概略斜視図、図３は図２のIII―III線断面図、図４は図２のIV―IV線断面図である。図２に示されているように、ネック４が一体形成された中空ケース１００を有し、該ケース１００には、図１に示されているように、ほぼ平面をしてボールを撃つためのフェース部としての第１のケース壁部２と、御玉杓子のような形で該第１のケース壁部２とは一体に該第１のケース壁部２と共に中空の空間を画成する第２のケース壁部３とに形成されている。前記第１のケース壁部２は、好ましくは金属で形成され、フェース面の長手方向に沿って並列に複数の浅い刻み目２１、２１、２１、・・・が凹設されている。
【００１０】
図３、４に示されているように、該第２のケース壁部３は、多重積層してなるカーボン繊維強化レジン層３１、３１と、前記カーボン繊維強化レジン層３１、３１よりなる積層壁に設けられる複数の補強手段３２、３２、・・・とでなっている。
【００１１】
前記カーボン繊維強化レジン層３１、３１によりなる積層壁に設けられる前記補強手段３２は、この例においては金属ストリップを埋め込んでなる。例えば縞として前記第２のケース壁部３から第１の面３２１を露出させている。この面３２１は意匠として他にプレートやフォイルの形態に様々の模様や商標を形成することができるので、ヘッドの外観に変化をつけることができ、また、前記補強手段３２をヘッドの種類によって適当に配設することにより、ヘッドの強度を向上させたり、ウェートの役割として重心を調整することができる。
【００１２】
また、第２の実施例においては、図５に示されているように、前記第１の実施例と違って、補強手段３２Ａとして、第２のケース壁部３Ａの前記第１の面３２１とは背中合せの裏面に第２の面３２２が設けられている。
【００１３】
前記構成によっても、前記第１の実施例と同様にヘッドの強度の向上及び重心調整をすることができる。
前記補強手段の他の変形例としては、図６に示されているように、補強手段３２Ｂが、第２のケース壁部３Ｂの表や裏のいずれにも露出しないようサンドイッチ状にカーボン繊維強化レジン層３１Ｂ、３１Ｂによりなる積層構造の間に挟まれている。この構成によっても、前記実施例と同様な効果を有する。
【００１４】
本発明は、一般ゴルフクラブヘッド例えばウッド、アイアンに広く適用することができることはいうまでもない。例えば図７、８に、ほぼ扁平状のアイアンヘッドを例示している。図示の如く、第２のケース壁部３Ｃに補強手段３２Ｃが断面が段違いになるように形成されている。
【００１５】
以上の実施例においては、前記補強手段が、金属により形成されているが、木材、非金属材料で形成されてもよい。前記カーボン繊維強化レジン層は、全体の構成をさらに強化できるよう３層や多層に形成されてもよく２層構造に限られない。また、強化手段は前記カーボン繊維より硬度が高く、重量が重い材料を用いれば、より一層ヘッド全体構成の強度を向上させると共に、重心を調整することができる。
【００１６】
以上、本発明は、第２のケース壁部に適当に強化手段を設けていることによって、ヘッド全体構成の強度を高めることができると共に、重心をも調整することができる。また強化手段に意匠を施すことにより、ヘッドの外観に変化をつけることができ、材料の違いが見掛けをよくする効果をも有する。
【産業上の利用可能性】
【００１７】
本発明のゴルフクラブヘッドによれば、ヘッド全体の強度を向上させることができると共に、重心を容易に調整して製造することができるので、打球を安定にし、飛距離を伸ばせる。
【図面の簡単な説明】
【００１８】
【図１】従来のゴルフクラブヘッドを示す斜視図。
【図２】本発明にかかる実施例のゴルフクラブヘッドを示す斜視図。
【図３】図２のIII−III線断面を示す。
【図４】図２のIV−IV線断面を示す。
【図５】本発明にかかる他の実施例のゴルフクラブヘッドを概略示す断面図。
【図６】本発明にかかる他の実施例のゴルフクラブヘッドを概略示す断面図。
【図７】本発明にかかる他の実施例のゴルフクラブヘッドを概略示す斜視図。
【図８】図７のVIII−VIII線断面を示す。
【符号の説明】
【００１９】
１００．．．ケース
２．．．第１のケース壁部
２１．．．刻み目
３．．．第２のケース壁部
３１．．．カーボン繊維強化レジン層
３２．．．補強手段
３２１．．．第１の面
３２２．．．第２の面
４．．．ネック
【図１】
2005278820.tif 000003
【図２】
2005278820.tif 000004
【図３】
2005278820.tif 000005
【図４】
2005278820.tif 000006
【図５】
2005278820.tif 000007
【図６】
2005278820.tif 000008
【図７】
2005278820.tif 000009
【図８】
2005278820.tif 000010